(57)【要約】【課題】複数のバッテリーが並列接続された無停電電源装置において、バッテリーの寿命を長持ちさせることができる充放電制御コントローラおよびその制御方法を提供する。【解決手段】無停電電源装置の充放電制御コントローラであって、商用電源と接続されて電力を充電する１台の充電器１０と、並列接続された複数のバッテリー１〜４のうちの１つのみを充電器１０から充電可能な状態に接続するとともに、充電可能な状態に接続されたバッテリー以外のバッテリーのうちの少なくとも１つを放電器２０に電力を放電可能な状態に接続するよう制御する充放電制御部３０とを備え、充放電制御部３０は、複数のバッテリー１〜４のうちの電圧レベルがもっとも低いバッテリーを最初に、充電器１０から充電可能な状態に接続するよう制御し、電圧レベルがもっとも高いバッテリーを最初に、放電器２０に電力を放電可能な状態に接続するよう制御する。【選択図】図３
2017184589.tif 000002
【特許請求の範囲】
【請求項１】
並列接続された複数のバッテリーと、外部の機器に対して電力を放電可能な１台の放電器とに接続される、無停電電源装置の充放電制御コントローラであって、
商用電源と接続されて電力を充電する１台の充電器と、
前記複数のバッテリーのうちの１つのみを前記充電器から充電可能な状態に接続するとともに、前記複数のバッテリーのうち前記充電可能な状態に接続されたバッテリー以外のバッテリーのうちの少なくとも１つを前記放電器に電力を放電可能な状態に接続するよう制御する充放電制御部と、
を備え、
前記充放電制御部は、前記複数のバッテリーのうちの電圧レベルがもっとも低いバッテリーを最初に、前記充電器から充電可能な状態に接続するよう制御し、前記複数のバッテリーのうちの電圧レベルがもっとも高いバッテリーを最初に、前記放電器に電力を放電可能な状態に接続するよう制御する
ことを特徴とする無停電電源装置の充放電制御コントローラ。
【請求項２】
前記充放電制御部は、あらかじめ定められた所定の条件により決定されたスケジュールにしたがって、前記充電器から充電可能な状態に接続するバッテリーを当該バッテリーとは異なるバッテリーに切り替え、前記放電器に電力を放電可能な状態に接続するバッテリーを当該バッテリーとは異なるバッテリーに切り替える
ことを特徴とする請求項１記載の無停電電源装置の充放電制御コントローラ。
【請求項３】
前記充放電制御部は、前記複数のバッテリーが３つ以上ある場合には、前記充電可能な状態に接続されたバッテリーと前記放電可能な状態に接続されたバッテリー以外のバッテリーを、前記無停電電源装置の回路から切り離した待機状態とする
ことを特徴とする請求項１または請求項２記載の無停電電源装置の充放電制御コントローラ。
【請求項４】
商用電源と接続されて電力を充電する１台の充電器を備え、並列接続された複数のバッテリーと、外部の機器に対して電力を放電可能な１台の放電器とに接続される、無停電電源装置の充放電制御方法であって、
前記複数のバッテリーのうちの１つのみを前記充電器から充電可能な状態に接続するとともに、前記複数のバッテリーのうち前記充電可能な状態に接続されたバッテリー以外のバッテリーのうちの少なくとも１つを前記放電器に電力を放電可能な状態に接続する充放電制御部が、前記複数のバッテリーのうちの電圧レベルがもっとも低いバッテリーを最初に、前記充電器から充電可能な状態に接続するよう制御するステップと、前記複数のバッテリーのうちの電圧レベルがもっとも高いバッテリーを最初に、前記放電器に電力を放電可能な状態に接続するよう制御するステップとを備えた
ことを特徴とする無停電電源装置の充放電制御方法。
【発明の詳細な説明】
【技術分野】
【０００１】
この発明は、複数のバッテリーが並列接続された無停電電源装置の充放電制御を行うコントローラおよびその充放電制御方法に関するものである。
【背景技術】
【０００２】
従来より、停電等の商用電力遮断時に備えて、電力供給が必要な機器に常に接続しておき、停電等の商用電力遮断時に機器に対して電力を供給することが可能なバッテリーを搭載した無停電電源装置が知られている。この際、長時間のバックアップが求められる場合には、複数のバッテリーを並列接続するものが採用されている。
【０００３】
例えば特許文献１には、複数のバッテリーが並列接続された無停電電源装置において、通常時には各バッテリーが充電されるように切替器の切替制御が行われ、停電発生時にはバッテリーからインバータ／コンバータ部に給電が行われるように切替器の切替制御が行われ、バッテリーのチェック時にはチェック対象となるバッテリーがＵＰＳ内部負荷に接続されるように切替器の切替制御が行われることが記載されている。
【先行技術文献】
【特許文献】
【０００４】
【特許文献１】特開２００５−２８７１７４号公報
【発明の概要】
【発明が解決しようとする課題】
【０００５】
しかしながら、例えば特許文献１に記載されているような従来の無停電電源装置では、バッテリーが満充電状態になると次のバッテリーを充電する、という一般的な充電方式が採用されていると考えられるが、複数のバッテリーが並列接続されていることにより、たとえ１台ずつ充電したとしてもバッテリー間で循環電流が流れ、充電されているバッテリーの電池容量が減ってしまい、常に電力を消費し続けてバッテリー容量を低下させてしまうという問題や、バッテリーが十分充電されているにもかかわらず充電器から電力を供給してしまうという問題により、バッテリーの劣化が早くなり、バッテリーの寿命が短くなるという課題があった。
【０００６】
この発明は、上記のような課題を解決するためになされたものであり、複数のバッテリーが並列接続された無停電電源装置において、バッテリーの寿命を長持ちさせることができる充放電制御コントローラおよびその充放電制御方法を提供することを目的とする。
【課題を解決するための手段】
【０００７】
上記目的を達成するため、この発明は、並列接続された複数のバッテリーと、外部の機器に対して電力を放電可能な１台の放電器とに接続される、無停電電源装置の充放電制御コントローラであって、商用電源と接続されて電力を充電する１台の充電器と、前記複数のバッテリーのうちの１つのみを前記充電器から充電可能な状態に接続するとともに、前記複数のバッテリーのうち前記充電可能な状態に接続されたバッテリー以外のバッテリーのうちの少なくとも１つを前記放電器に電力を放電可能な状態に接続するよう制御する充放電制御部と、を備え、前記充放電制御部は、前記複数のバッテリーのうちの電圧レベルがもっとも低いバッテリーを最初に、前記充電器から充電可能な状態に接続するよう制御し、前記複数のバッテリーのうちの電圧レベルがもっとも高いバッテリーを最初に、前記放電器に電力を放電可能な状態に接続するよう制御することを特徴とする。
【発明の効果】
【０００８】
この発明の無停電電源装置の充放電制御コントローラまたはその充放電制御方法によれば、複数のバッテリーが並列接続された無停電電源装置について、すべてのバッテリーを適切な状態で管理することができ、バッテリーの長寿命化をはかることができる。
【図面の簡単な説明】
【０００９】
【図１】複数のバッテリーが並列接続されている無停電電源装置において、循環電流が流れることを示す説明図である。
【図２】複数のバッテリーが並列接続されている従来の無停電電源装置の概略構成および充電時の制御状態を示す説明図である。
【図３】この発明の実施の形態における無停電電源装置の充放電制御コントローラおよび無停電電源装置全体の概略構成を示す模式図である。
【図４】この発明の実施の形態における無停電電源装置の充放電制御部が、複数のバッテリーをどの順番で充電可能な充電接続状態、放電可能な放電接続状態、待機状態とするかについて、あらかじめ定められた所定の条件により決定されたスケジュールの一例を示す表である。
【図５】この発明の実施の形態による無停電電源装置において、商用電源からの電力供給がある場合の充放電制御部の動作を示すフローチャートである。
【図６】この発明の実施の形態における無停電電源装置の充放電制御部が、複数のバッテリーをどの順番で充電可能な充電接続状態、放電可能な放電接続状態、待機状態とするかについて、あらかじめ定められた所定の条件により決定されたスケジュールの別の一例を示す表である。
【図７】この発明の実施の形態における無停電電源装置の充放電制御コントローラの構成および充電・放電・待機の制御状態の一例を示す説明図である。
【発明を実施するための形態】
【００１０】
この発明は、複数のバッテリーが並列接続された無停電電源装置の充放電制御を行うコントローラに関するものである。
以下、この発明の実施の形態について、図面を参照しながら詳細に説明する。
【００１１】
図１は、一般的に、複数のバッテリーが並列接続されている無停電電源装置において、各バッテリー間に循環電流が流れることを示す説明図である。
この図１では、複数のバッテリー１〜４が並列接続されている。このように複数のバッテリーが並列接続されている場合には、通常、各バッテリー間で電流が流れ、電池容量が減っていくが、この際に流れる電流を、循環電流という。
【００１２】
この循環電流は、接続されているバッテリー同士の電圧の差や内部抵抗の差によって発生する。しかし、たとえ同種のバッテリーであっても個体差があり、バッテリー同士の電圧や内部抵抗が一致することはないため、複数のバッテリーが並列接続されている限り、無負荷であっても常に循環電流が流れてバッテリーの電力が消費され続けることとなり、バッテリー容量を低下させ、バッテリーの寿命が短くなる要因となっている。
【００１３】
例えば、図１では、バッテリー２の電圧がバッテリー１，３，４より低い電圧のバッテリーであるとする。この場合、実線で示す矢印Ａは、バッテリー１，３，４から、バッテリー２に流れている循環電流の様子を示している。そして、バッテリー２の電圧が他のバッテリーよりも高くなると、破線で示す矢印Ｂのように、今度はバッテリー２から他のバッテリー１，３，４に対して循環電流が流れてしまう。
【００１４】
図２は、複数のバッテリーが並列接続されている従来の無停電電源装置の概略構成および充電時の制御状態を示す説明図である。図２においても、複数のバッテリー１〜４が並列接続されており、各バッテリーには充電器１０および放電器（インバータ）２０が接続されている。そして、図２において、バッテリー１はほぼ満充電状態であり、バッテリー２はほぼ空（カラ）になっている状態であり、バッテリー３，４は少しだけ使われている状態であるとする。充電中は、スイッチＳＷ１をＯＮ、スイッチＳＷ２をＯＦＦとする。
【００１５】
この状態で充電が行われる場合、図２では、充電器１０からの充電時に、実線の矢印Ｃで示すように、充電器１０から１２Ａの電流がバッテリー２に流れている。また同時に、破線の矢印Ｄに示すように、バッテリー１から３Ａ、バッテリー３から１Ａ、バッテリー４から１Ａがそれぞれバッテリー２に循環電流として流れ、合計１７Ａで充電が行われることを示している。
【００１６】
このように、従来の無停電電源装置においては、例えば、あるバッテリーがせっかく新品に近い、ほぼ満充電状態にあるバッテリーであったとしても、そのバッテリーから循環電流が流れてしまったり、同じくらいの状態に見えるバッテリーであっても、電圧の差や内部抵抗の差によって循環電流が流れてしまうため、バッテリーに無駄な負荷をかけ続けてしまい、バッテリーの長寿命化の妨げになってしまうという問題があった。
【００１７】
そこで、この発明の実施の形態では、複数のバッテリーそれぞれの寿命を長くすることにより、無停電電源装置全体の長寿命化をはかるため、充電時にはバッテリーを１つずつ充電する、すなわち、１つのバッテリーのみが接続されるよう制御して充電することにより、他のバッテリーに循環電流が流れないようにするものである。また、この充電時に、どのバッテリーから順番に充電し、どのバッテリーから順番に放電するかを、あらかじめ定められた所定の条件により決定されたスケジュールにしたがって行うことにより、バッテリーの寿命を長くするものである。
【００１８】
また、上記のとおり、充電時に各バッテリーに循環電流が流れないようにし、かつ、充電させるバッテリーと放電させるバッテリーとをスケジュールにしたがって制御するとともに、並列接続されるバッテリーが３つ以上ある場合には、充電もせず放電もさせない他のバッテリーは、回路から切り離して待機状態とするよう制御して休ませることにより、すべてのバッテリーを最適な状態で管理し、バッテリーの長寿命化をはかるものである。
【００１９】
図３は、この発明の実施の形態における無停電電源装置のコントローラおよび無停電電源装置全体の概略構成を示す模式図である。この図３に示す無停電電源装置においても、複数のバッテリー１〜４が並列接続されており、充電器１０および放電器２０が接続されている。ここで、充電器１０は、商用電源（図示せず）と接続されて電力を充電するものである。また、放電器２０は、外部の例えば計測器等の機器（図示せず）と接続されており、それら機器に対して電力を放電可能なものである。
【００２０】
なお、一点鎖線で囲まれた部分に含まれている、複数のバッテリー１〜４および放電器２０については、既存のものを使用することが可能であり、この一点鎖線で囲まれた部分以外の部分が、この発明の実施の形態における無停電電源装置の充放電制御コントローラである。
【００２１】
すなわち、この発明の実施の形態における無停電電源装置の充放電制御コントローラは、並列接続された複数のバッテリー１〜４と、外部の機器に対して電力を放電可能な１台の放電器２０とに接続されるものであり、充電器１０と、充放電制御部３０を備えている。
【００２２】
充放電制御部３０は、複数のバッテリー１〜４のうちの１つのみを、充電器１０から充電可能な状態に接続するよう制御するとともに、複数のバッテリー１〜４のうち充電可能な状態に接続されたバッテリー以外のバッテリーのうちの少なくとも１つを放電器２０に電力を放電可能な状態に接続するよう制御する制御部である。
【００２３】
このように、充放電制御部３０により、常に少なくとも１つのバッテリーから放電器２０に電力を放電可能な状態に接続しておくことにより、落雷時等の急な停電時においても、タイムラグなく瞬時に放電器２０から外部の機器への電力供給を行うことができる。
【００２４】
また、充放電制御部３０は、複数のバッテリー１〜４のうちの電圧レベルがもっとも低いバッテリーを最初に、充電器１０から充電可能な状態に接続するよう制御し、複数のバッテリー１〜４のうちの電圧レベルがもっとも高いバッテリーを最初に、放電器２０に電力を放電可能な状態に接続するよう制御する。
【００２５】
さらに、充放電制御部３０は、あらかじめ定められた所定の条件により決定されたスケジュールにしたがって、充電器１０から充電可能な状態に接続するバッテリーを当該バッテリーとは異なるバッテリーに切り替え、放電器２０に電力を放電可能な状態に接続するバッテリーを当該バッテリーとは異なるバッテリーに切り替える。
【００２６】
また、充放電制御部３０は、並列接続されるバッテリーが３つ以上ある場合には、充電可能な状態に接続されたバッテリーと放電可能な状態に接続されたバッテリー以外のバッテリーを、無停電電源装置の回路から切り離して待機状態とするよう制御して休ませることにより、すべてのバッテリーを最適な状態で管理し、バッテリーの長寿命化をはかるものである。
【００２７】
図４は、充放電制御部３０が、複数のバッテリー１〜４をどの順番で充電可能な充電接続状態、放電可能な放電接続状態、待機状態とするかについて、あらかじめ定められた所定の条件により決定されたスケジュールの一例を示す表である。
また、図５は、商用電源からの電力供給がある場合の充放電制御部３０の動作を示すフローチャートである。
【００２８】
充放電制御部３０は、まず初めに（無停電電源装置を初めて接続したとき、または、停電等により商用電源からの電力供給がなくなり、無停電電源装置による電力供給が行われて商用電源が復帰したとき）、並列接続された複数のバッテリーの電圧レベルをチェックし、並列接続された複数のバッテリー１〜４の電圧レベルのうち、少なくとも１つがＭ以上であるか否かを判断する（ステップＳＴ１）。
【００２９】
この図４の例では、バッテリー１の電圧レベルはＬＬ（ほぼ充電されていない深放電レベル）、バッテリー２の電圧レベルはＬ（４０％以下の充電レベル）、バッテリー３の電圧レベルはＨ（８０％充電レベル）、バッテリー４の電圧レベルはＭ（６０％充電レベル）であるとする。また、表の中の電圧レベルＨＨは、ほぼ満充電（１００％充電レベル）を意味するものである。
【００３０】
この場合、並列接続された複数のバッテリー１〜４の電圧レベルのうち、少なくとも１つがＭ以上であるので（ステップＳＴ１のＹＥＳの場合）、電圧レベルがもっとも低いバッテリーを最初に、充電器１０から充電可能な状態に接続し、電圧レベルがもっとも高いバッテリーを最初に、放電器２０に電力を放電可能な状態に接続する（ステップＳＴ１１）。そして、電圧レベルがもっとも低いバッテリーから順に、充電器１０から充電可能な状態に接続し、充電可能な状態に接続されたバッテリーは、次のサイクルでは放電可能な状態に接続する（ステップＳＴ１２）。
【００３１】
すなわち図４の例では、充電器１０から充電可能な状態に接続する順番は、電圧レベルＬＬのバッテリー１、電圧レベルＬのバッテリー２、電圧レベルＭのバッテリー４、電圧レベルＨのバッテリー３の順番（バッテリー１，２，４，３の順番）である。また、電圧レベルがもっとも高いバッテリーを最初に、放電器２０に電力を放電可能な状態に接続するので、最初に放電可能な状態に接続されるのは、バッテリー３である。
【００３２】
また、この図４の例では、充電可能な状態に接続されたバッテリーは、次のサイクルでは放電可能な状態に接続されるものとしているので、放電可能な状態に接続する順番は、バッテリー３，１，２，４の順番である。すなわち、１サイクル目には、バッテリー１が充電接続状態、バッテリー３が放電接続状態、他の２つが待機状態、２サイクル目には、バッテリー２が充電接続状態、バッテリー１が放電接続状態、他の２つが待機状態、３サイクル目には、バッテリー４が充電接続状態、バッテリー２が放電接続状態、他の２つが待機状態、４サイクル目には、バッテリー３が充電接続状態、バッテリー４が放電接続状態、他の２つが待機状態であり、これを繰り返す。
【００３３】
この際、充電可能な状態に接続したバッテリーの電圧レベルがＨＨ（１００％充電レベル）まで達したら、すぐに次のバッテリーを充電可能な状態に接続する、というサイクルで繰り返すことにすると、バッテリーを休ませる時間がなく、バッテリーを劣化させてしまうため、例えば２４時間経ったら次のサイクルとする、というスケジュールにするとよい。この結果、図４に示すように、電圧レベルがＬＬだったバッテリーは、充電接続状態にしても１サイクルでは電圧レベルＨまでしか達しないが、例えば図４の場合には、３サイクル目にはすべてのバッテリーの電圧レベルがＭ以上となっている。
【００３４】
なお、電圧レベルがＭやＨのバッテリーを充電接続状態にした場合には、上記のように２４時間で次のサイクルに移行するとしても、それよりも短い時間で電圧レベルがＨＨまで達することが予想されるが、１００％充電レベルになっても充電し続けると、バッテリーを劣化させてしまうため、電圧レベルがＨＨになったら残りの時間は休ませる（待機状態と同じように回路から切り離す）ようにした方がよい。すなわち、この図４においては、充電および満充電になったら休ませることも含めて「充電接続状態」と呼んでいる。
【００３５】
また、停電等が発生し、商用電源からの電力供給がなくなり、無停電電源装置による電力供給が行われて商用電源が復帰したときなど、すべてのバッテリーの電圧レベルがあらかじめ定められた所定の電圧以上（ここでは、６０％充電（Ｍ）以上とする）でない場合（ステップＳＴ１のＮＯの場合）には、図６に示すスケジュールを採用するものとする。
【００３６】
図６は、充放電制御部３０が、複数のバッテリー１〜４をどの順番で充電可能な充電接続状態、放電可能な放電接続状態、待機状態とするかについて、あらかじめ定められた所定の条件により決定されたスケジュールの別の一例を示す表である。
【００３７】
この場合であっても、充放電制御部３０が、まず初めに（無停電電源装置を初めて接続したとき、または、停電等により商用電源からの電力供給がなくなり、無停電電源装置による電力供給が行われて商用電源が復帰したとき）、並列接続された複数のバッテリーの電圧レベルをチェックし、並列接続された複数のバッテリー１〜４の電圧レベルのうち、少なくとも１つがＭ以上であるか否かを判断する（ステップＳＴ１）。
【００３８】
図６に示す例では、すべてのバッテリー１〜４の電圧レベルがＭ未満であるが（ステップＳＴ１のＮＯの場合）、この場合であっても、電圧レベルがもっとも低いバッテリーを最初に、充電器１０から充電可能な状態に接続し、電圧レベルがもっとも高いバッテリーを最初に、放電器２０に電力を放電可能な状態に接続するのは同じである（ステップＳＴ２１）。
【００３９】
そして、この図６の例では、バッテリー１〜４すべての電圧レベルはＬＬ（ほぼ充電されていない深放電レベル）であるとするが、数値としては、バッテリー１がもっとも電圧レベルが低く、次に低いのがバッテリー２、その次に低いのがバッテリー４、そして、バッテリー３がもっとも電圧レベルが高かったと仮定する。よって、１サイクル目には、バッテリー１が充電接続状態、バッテリー３が放電接続状態、他の２つが待機状態である点については、図４に示す例と同じである。
【００４０】
しかし、この図６に示す例では、並列接続された複数のバッテリー１〜４の電圧レベルのうち、すべてがＭ未満の電圧レベルであるので、最初に充電可能な状態に接続したバッテリーを、次のサイクルですぐに放電してしまったのでは、すべてのバッテリーを停電時に使用可能な状態とすることができないため、このような条件のときには、放電可能な状態に接続したバッテリーを、次のサイクルで充電可能な状態に接続し、できるだけ早くすべてのバッテリーを使用可能な状態とするスケジュールにしたがって制御すればよい。
【００４１】
そして、ステップＳＴ１での電圧レベルのチェックにおいて電圧レベルがもっとも高いバッテリーから順に、放電器２０に電力を放電可能な状態に接続し、放電可能な状態に接続されたバッテリーは、次のサイクルでは充電可能な状態に接続する（ステップＳＴ２２）。
【００４２】
すなわち図６の例では、放電器２０に電力を放電可能な状態に接続する順番は、バッテリー３、バッテリー４、バッテリー２、バッテリー１の順番である。また、電圧レベルがもっとも低いバッテリーを最初に、充電器１０から充電可能な状態に接続するので、最初に充電可能な状態に接続されるのは、バッテリー１である。
【００４３】
また、この図６の例では、放電可能な状態に接続されたバッテリーは、次のサイクルでは充電可能な状態に接続されるものとしているので、充電可能な状態に接続する順番は、バッテリー１，３，４，２の順番である。すなわち、１サイクル目には、バッテリー１が充電接続状態、バッテリー３が放電接続状態、他の２つが待機状態、２サイクル目には、バッテリー３が充電接続状態、バッテリー４が放電接続状態、他の２つが待機状態、３サイクル目には、バッテリー４が充電接続状態、バッテリー２が放電接続状態、他の２つが待機状態、４サイクル目には、バッテリー２が充電接続状態、バッテリー１が放電接続状態、他の２つが待機状態であり、これを繰り返す。
【００４４】
この際、充電可能な状態に接続したバッテリーの電圧レベルがＨＨ（１００％充電レベル）まで達したら、すぐに次のバッテリーを充電可能な状態に接続する、というサイクルで繰り返すことにすると、バッテリーを休ませる時間がなく、バッテリーを劣化させてしまうため、例えば２４時間経ったら次のサイクルとする、というスケジュールにするとよい。この結果、図６に示すように、電圧レベルがＬＬだったバッテリーは、充電接続状態にしても１サイクルでは電圧レベルＨまでしか達しないが、例えば図６の場合には、５サイクル目にはすべてのバッテリーの電圧レベルがＭ以上となっている。
【００４５】
なお、電圧レベルがＭやＨのバッテリーを充電接続状態にした場合には、上記のように２４時間で次のサイクルに移行するとしても、それよりも短い時間で電圧レベルがＨＨまで達することが予想されるが、１００％充電レベルになっても充電し続けると、バッテリーを劣化させてしまうため、電圧レベルがＨＨになったら残りの時間は休ませる（待機状態と同じように回路から切り離す）ようにした方がよい。すなわち、この図６においては、充電および満充電になったら休ませることも含めて「充電接続状態」と呼んでいる。
【００４６】
図７は、この発明の実施の形態における無停電電源装置の充放電制御コントローラの構成および充電・放電・待機の制御状態の一例を示す説明図である。すなわち、図３における充放電制御部３０において、具体的にどのようなスイッチ構成によりどのような切替制御が行われるかという一例を示すものであり、この図７では、バッテリー１のみを充電接続状態、バッテリー２のみを放電接続状態、残りのバッテリー３およびバッテリー４を待機状態とするよう制御している例を示している。
【００４７】
バッテリー１には、充電用スイッチＳＷ１１およびＳＷ１２、放電用スイッチＳＷ１３、循環電流防止ダイオード５１が接続されている。同様に、バッテリー２には、充電用スイッチＳＷ２１およびＳＷ２２、放電用スイッチＳＷ２３、循環電流防止ダイオード５２が接続されている。
【００４８】
また、バッテリー３には、充電用スイッチＳＷ３１およびＳＷ３２、放電用スイッチＳＷ３３、循環電流防止ダイオード５３が接続されている。同様に、バッテリー４には、充電用スイッチＳＷ４１およびＳＷ４２、放電用スイッチＳＷ４３、循環電流防止ダイオード５４が接続されている。
【００４９】
そして、この図７においては、バッテリー１のみを充電接続状態とするため、バッテリー１の充電用スイッチＳＷ１１，ＳＷ１２をＯＮに、他のバッテリーの充電用スイッチＳＷ２１，ＳＷ２２，ＳＷ３１，ＳＷ３２，ＳＷ４１，ＳＷ４２をすべてＯＦＦにしている。すなわち、これら充電用スイッチＳＷ１１，ＳＷ１２，ＳＷ２１，ＳＷ２２，ＳＷ３１，ＳＷ３２，ＳＷ４１，ＳＷ４２が、図３に示す充放電制御部３０の一部を構成しており、充放電制御部３０がこれらスイッチのＯＮ／ＯＦＦを制御することにより、複数のバッテリーのうちのいずれか１つのみを充電器１０と接続する。
【００５０】
また、この図７においては、バッテリー２の放電用スイッチＳＷ２３をＯＮに、他のバッテリーの放電用スイッチＳＷ１３，ＳＷ３３，ＳＷ４３をＯＦＦにしている。すなわち、これら放電用スイッチＳＷ１３，ＳＷ２３，ＳＷ３３，ＳＷ４３が、図３に示す充放電制御部３０の一部を構成しており、充放電制御部３０がこれらスイッチのＯＮ／ＯＦＦを制御することにより、複数のバッテリーのうちのいずれか１つのみを放電器２０と接続する。
【００５１】
そしてこの場合、図７の実線の矢印Ｇで示すように、充電器１０からの電流１２Ａは、すべてバッテリー１にのみ流れることとなり、１２Ａの電流でバッテリー１を充電させることができる。また、二重線の矢印Ｈで示すように、例えば放電器２０に１２Ａの電流が流れる負荷を接続した場合、バッテリー２からのみ１２Ａの電流が放電器２０に流れ、放電を行うことができる。他のバッテリー３およびバッテリー４については、すべてのスイッチがＯＦＦになっているため、完全に回路から切り離された待機状態となっている。
【００５２】
また、循環電流防止ダイオード５１〜５４は、放電器２０と複数のバッテリー１〜４との間のそれぞれに設けられており、複数のバッテリー１〜４のいずれかから各バッテリーへの循環電流を防止するものである。すなわち、循環電流防止ダイオード５１〜５４は、放電器２０と複数のバッテリー１〜４との間のそれぞれに、複数のバッテリー１〜４のいずれかから各バッテリーへの循環電流を防止する向きに設けられている。
【００５３】
具体的には、循環電流防止ダイオード５１は、放電器２０とバッテリー１との間に、バッテリー１から放電器２０の方向にしか電流が流れないような向きに設けられている。同様に、循環電流防止ダイオード５２は、放電器２０とバッテリー２との間に、バッテリー２から放電器２０の方向にしか電流が流れないような向きに設けられ、循環電流防止ダイオード５３は、放電器２０とバッテリー３との間に、バッテリー３から放電器２０の方向にしか電流が流れないような向きに設けられ、循環電流防止ダイオード５４は、放電器２０とバッテリー４との間に、バッテリー４から放電器２０の方向にしか電流が流れないような向きに設けられている。
【００５４】
このように、循環電流防止ダイオード５１〜５４を設けるようにすれば、充放電制御部３０によって、例えばバッテリー２および３の２つが同時に放電器２０に電力を放電可能な状態に接続されたとしても、バッテリー２からの電流がバッテリー３に流れることはなく、同様に、いずれのバッテリーからも他のバッテリーへ電流が流れることがなく、各バッテリーへの循環電流を防止することができるという効果がある。
【００５５】
また、待機状態にあるバッテリー（図７に示す例ではバッテリー３およびバッテリー４）については、完全に回路から切り離されるため、電流が流れることなく休ませることができるので、バッテリーの長寿命化をはかることができる。
すなわち、個々のバッテリーについて、個別に充電、放電、待機を切り替えて制御することができるので、すべてのバッテリーを適切な状態で管理することができ、バッテリーの長寿命化をはかることができる。
【００５６】
また、上記のとおり、並列接続されている複数のバッテリーを個々に管理することができるため、これらの複数のバッテリーについては、必ずしも同種のバッテリーである必要はない。例えば、電圧が同程度であり、温度のチェックが不要である等、充電電圧と管理条件が同等なバッテリーであれば、容量の異なるバッテリーを使用することができる。
【００５７】
なお、この実施の形態では、並列接続する複数のバッテリーについては、出願時の技術水準に基づき、典型的なバッテリーとして鉛バッテリーを想定しているが、同様の特性を有するものであれば、鉛バッテリー以外のバッテリーを採用しても構わない。
【００５８】
また、並列接続する複数のバッテリーの数について、この実施の形態では４つということで説明したが、最低２つあればよい。すなわち、１つは充電用であり、１つは放電用である。そして、このように少なくとも１つ以上のバッテリーを常に放電器２０に接続しておくことにより、落雷時等の急な停電時にもタイムラグなく瞬時に放電器２０から外部の機器への電力供給を行うことができる。
【００５９】
なお、この実施の形態のように、３つ以上のバッテリーが複数接続されている場合には、充電用でも放電用でもないバッテリーを、充電器１０にも放電器２０にも接続されない待機状態とすることができるので、電流が流れることなく休ませることができ、バッテリーの寿命をより長くすることができる。
【００６０】
また、例えば１つのバッテリーが故障したり寿命だったりして交換が必要になった場合にも、その交換すべきバッテリーを待機状態にすることにより無停電電源装置の回路から切り離すことができるので、無停電電源装置としては稼働させたまま、バッテリーの交換を行うことができる。
【００６１】
以上のように、この発明の実施の形態の無停電電源装置の充放電制御コントローラまたはその充放電制御方法によれば、並列接続された複数のバッテリーについて、個別に充電、放電、待機を切り替えて制御することができるので、すべてのバッテリーを適切な状態で管理することができ、バッテリーの長寿命化をはかることができる。
【００６２】
なお、本願発明はその発明の範囲内において、実施の形態の任意の構成要素の変形、もしくは実施の形態の任意の構成要素の省略が可能である。
【符号の説明】
【００６３】
１，２，３，４  バッテリー
１０  充電器
２０  放電器（インバータ）
３０  充放電制御部
５１  バッテリー１の循環電流防止ダイオード
５２  バッテリー２の循環電流防止ダイオード
５３  バッテリー３の循環電流防止ダイオード
５４  バッテリー４の循環電流防止ダイオード
ＳＷ１１，ＳＷ１２  バッテリー１の充電用スイッチ
ＳＷ１３  バッテリー１の放電用スイッチ
ＳＷ２１，ＳＷ２２  バッテリー２の充電用スイッチ
ＳＷ２３  バッテリー２の放電用スイッチ
ＳＷ３１，ＳＷ３２  バッテリー３の充電用スイッチ
ＳＷ３３  バッテリー３の放電用スイッチ
ＳＷ４１，ＳＷ４２  バッテリー４の充電用スイッチ
ＳＷ４３  バッテリー４の放電用スイッチ
【図１】
2017184589.tif 000003
【図２】
2017184589.tif 000004
【図３】
2017184589.tif 000005
【図４】
2017184589.tif 000006
【図５】
2017184589.tif 000007
【図６】
2017184589.tif 000008
【図７】
2017184589.tif 000009